(57)【特許請求の範囲】
【請求項１】
釣鐘状のダイヤフラム部を有するダイヤフラム本体と、前記ダイヤフラム本体にこれと一体に形成された筒状の弁体部を有する吐出弁と、前記吐出弁に通ずる吐出口と、前記ダイヤフラムへ通ずる位置に設けられた吸気孔と、前記ダイヤフラム部を駆動してポンプ作用を行なう駆動機構よりなり、前記駆動機構がモーターの出力軸に傾斜させて直接固定されたクランク軸と、前記クランク軸に対し回動可能に取り付けられた駆動体よりなり、前記クランク軸がモーターの出力軸への取り付けのための固着部とこれに対して一定角度に曲げられた駆動体への取り付けを行なう駆動体取り付け部とにて一体に構成され、前記クランク軸の固着部の外周面と前記出力軸の外周面とが溶着等の手段により固着され、前記クランク軸の駆動体取り付け部が前記駆動体に対し回動可能に取付けられ、前記固着部と前記駆動体取り付け部とが駆動体取り付け部先端がほぼ前記出力軸の延長軸線上に位置するように曲げられたことを特徴とする小型ポンプ。
【請求項２】
前記クランク軸の固着部にカット面を、前記出力軸の前記カット面に対応する位置にカット面を設け、両カット面を溶着等の手段にて固着するようにしたことを特徴とする請求項１の小型ポンプ。
【請求項３】
前記固着部が先端をほぼ半円形に曲げられた部分を有し、この固着部の曲げられた内側面を出力軸の外周面に対して溶着等の手段にて固着するようにしたことを特徴とする請求項１の小型ポンプ。
【発明の詳細な説明】
【０００１】
【発明の属する技術分野】
本発明は、小型ポンプで、一層小型化したポンプに関するものである。
【０００２】
【従来の技術】
図５は、従来の小型ポンプの概要を示す図で、図において１は小型直流モーター、２はモーター１の出力軸、３はモーター１に取り付けれられたケース、４は出力軸２に固定されたカラー、５はカラー４に傾けて固定してある駆動軸、６は筒状の支持部７を有する駆動体であって、支持部７に駆動軸５を挿入することにより取り付けられている。８はケース３の上部にこれと重ね合わせて固定された他のケース（シリンダー部）、１０は柔かいゴムからなるダイヤフラム本体で、前記のケース８の穴（シリンダー）９の位置に対応する個所に釣鐘状をしたダイヤフラム部１１が配置されている。このダイヤフラム本体１０のダイヤフラム部１１には駆動部１２が形成されていて、この駆動部１２の先端が駆動体６に固定されている。１３はダイヤフラム本体１０の中央より図にて上方に伸びている円筒状の弁体部１３ａを有している吐出弁、１５はその中央より図面で上方に伸びている弁室部１４を有する蓋体（バルブハウジング）で、この蓋体１５は弁室部１４に吐出弁１３の弁体部１３ａを密着させてダイヤフラム１０を挟持してケース８に固定させている。
【０００３】
上記のような小型ポンプは、小型直流モーター１の駆動によって出力軸２を介してカーラ４を回転させて駆動軸５にすりこぎ状の運動をさせ、この駆動軸５のすりこぎ状の運動により支持部７を介して、駆動部６が交互に上下動運動をする。つまり図５に示すように駆動体６は左側が上昇している状態から、右側が上昇し左側が下降する状態へと、更に図５に示す状態へと順次変化する。これによって、ダイヤフラム１０の駆動部１２も上下動し、釣鐘状のダイヤフラム部１２の容積も変化する。
【０００４】
このようなダイヤフラム部１２の運動によって吸気孔１７を通して外部の空気を吸引し、ダイヤフラム部１１により形成されるポンプ室から１３を通って弁室部へ送り込まれ、吐出口１６より送り出しポンプとしての作用を行なう。つまり弁室部１４に密着されて通気溝１４を塞いでいる吐出弁１３は開かれ空気が吐出口へ流れる。尚１９は外気を吸入する孔１９ａを有するカバーである。
【０００５】
【発明が解決しようとする課題】
このダイヤフラムを用いた小型ポンプを更に小型化することが困難であった。特にダイヤフラム本体の駆動部の往復運動に沿った方向の長さ（図５における長さＨ）を短くすることは困難であった。
【０００６】
本発明は、従来の小型ポンプと比較して一層小型になし得るもので、特にダイヤフラム本体の駆動部の上下動（往復運動）方向つまりモーターの出力軸方向の長さを小にした小型ポンプを提供するものである。
【０００７】
【課題を解決するための手段】
本発明の小型ポンプは、釣鐘状のダイヤフラム部を有するダイヤフラム本体と、前記ダイヤフラム本体にこれと一体に形成された筒状の弁体部を有する吐出弁と、前記吐出弁に通ずる吐出口と、前記ダイヤフラムへ通ずる位置に設けられた吸気孔と、前記ダイヤフラム部を駆動してポンプ作用を行なう駆動機構とよりなり、前記駆動機構がモーターの出力軸に傾斜させて直接固定されたクランク軸と、前記クランク軸に対し回動可能に取り付けられた駆動体よりなり、モーターの回転により駆動体を往復動させてダイヤフラム部の容積を変化させポンプ作用を行なうことを特徴とする。
【０００８】
本発明の小型ポンプは、モーターの出力軸方向の長さを一層短くし得ると共に、駆動機構の部品点数が少なく、しかも極めて簡単な構造であるためコストの面でも望ましい構成である。
【０００９】
【発明の実施の形態】
次に本発明の小型ポンプの実施の形態について述べる。
【００１０】
図１は本発明の第１の実施の形態の小型ポンプの構成を示す図で、１はモーター、２はモーター１の出力軸、１０はダイヤフラム本体、１１はダイヤフラム部、１２は駆動部、１３は吐出弁、１４は弁室部、１５は蓋体（バルブハウジング）、１６は吐出口、１７は吸気孔、１８は吸気弁、１９はカバーで、これらは図３に示す従来の小型ポンプを実質上同じである。
【００１１】
又２０は駆動機構で全体として傘状をなし、モーター１の出力軸２に固定されたクランク軸２１とこのクランク軸２１に対し回動可能に取り付けられた駆動体２２とにて構成されている。又この駆動機構２０の駆動体２２の周辺付近には、所定間隔をおいて各ダイヤフラムの駆動部１２が固定されている。
【００１２】
この駆動機構２０を構成するクランク軸２１は、図示するように駆動体の穴２２ａに挿入し駆動体２２を取り付ける駆動体取り付け部２１ａとモーター１の出力軸２に固着する固着部２１ｂとが所定角度傾斜させて一体に形成された構成になっている。そしてこの駆動体取り付け部２１ａと固着部２２ｂとの傾斜によって、クランク軸の駆動体取り付け部２１ａの先端（ボール２３側の端面）Ａがモーターの出力軸２の延長線上または延長線の近くに位置するように構成されている。
【００１３】
この実施の形態に示すポンプは、モーター１の駆動によりその出力軸２が回転することにより、これに固着されているクランク軸２１の運動によりその傾斜方向が変化し、駆動体２２が従来例と同様の運動を行なう。この駆動体２２の運動により各ダイヤフラム部１１は上下動を行ないポンプ作用が行なわれる。
【００１４】
本発明の小型ポンプは、この図１に示す実施の形態のように、駆動機構が簡単な構成であり、特にクランク軸２１をモーター出力軸２に直接固着することにより、カラーを用いる必要がなく、小型化が可能になり、特に図１に示す長さＨを小にすることが可能になり、つまりダイヤフラム本体の駆動部が運動する方向の長さを短くすることが可能である。
【００１５】
また、クランク軸が極めて簡単な構造であり、組立てが容易な構成であるので、部品点数の削減と合わせて大幅なコストダウンが可能になる。
【００１６】
図２、図３、図４は夫々本発明の小型ポンプにおけるクランク軸２２をモーター出力軸２に固着するための手段を示す。
【００１７】
図２は、クランク軸２１の固着部２１ｂの一方の外周面を出力軸２の外周面に溶着等の手段により直接固着させる場合を示すもので、この際に問題となる駆動体取り付け部２１ａと、固着部２１ｂの曲がり具合を示した図で、（Ａ）が側面方向詰まり図１に示す方向、（Ｂ）が上方より見た図である。この図に示すように、駆動体取り付け部２１ａと固着部２１ｂとを角αだけ曲げると共に更に角βだけ捩じる方向に曲げてある。
【００１８】
この例のようにクランク軸２１の固着部２１ｂの外周面と出力軸２の外周面とを直接固着する場合、傾斜角αのほかに出力軸２の半径および固着軸の半径によるずれ量だけ出力軸の中心からずれて固着されることになる。そのため、単に傾斜角αを設けたのみではクランク軸の駆動体取り付け部２１ａの先端Ａが出力軸２の延長軸線上からずれるため好ましくない。このずれを補正するために角βだけ捩じるようにしてある。これによって、前記点Ａがほぼ出力軸の延長軸線上に位置するようになる。
【００１９】
図３は。クランク軸２１をモーター１の出力軸２に固着するための他の手段を示す図である。この図に示すように、出力軸２のクランク軸２１を固着する部分を符号２４のように半分カットして平面状とし一方クランク軸２１の固着部分も符号２５のように半分カットして平面状とする。このようにカットした部分２４、２５において出力軸２とクランク軸２１とを組み合わせ溶着して固定するものである。
【００２０】
この図３に示す固着手段によれば、両カット部分を形成することにより図２における角βの捩れを設ける必要なく、出力軸２のカット部分２４とクランク軸２１のカット部分２５の両平面部分が接するようにして固定すれば角αの傾斜を設けるのみで、クランク軸２１の先端が、出力軸２の延長線上またはその近傍に来るようにすることができる。
【００２１】
図４は、クランク軸２１を出力軸２に固着するための他の手段を示す図である。この固着手段は、クランク軸２１の溶着部２１ｂを曲げ、この曲げた部分の内側の面が出力軸２の外周面に接するようにし、この部分を溶着することにより固着するものである。
【００２２】
この図４に示す固着手段もクランク軸２１の傾斜角αを定めることによってクランク軸２１の先端が出力軸の延長線上又はその近傍に位置するようにすることができる。
【００２３】
以上述べたように、本発明の実施の形態の小型ポンプは、モーター１の出力軸２にクランク軸２１を直接固着するのみで駆動体２２を運動させることが可能であり、それによってダイヤフラム１１の駆動部１２を往復動させて従来例と同様のポンプ作用を行なうことができる。
【００２４】
しかも、出力軸２へのクランク軸２１の固着手段としては、図２乃至図４に示すような簡単な手段にて行ない得る。しかも、駆動体２２の正しい運動を行なうために必要なクランク軸２１の先端が出力軸２の延長線上又はその近傍に位置せ締めることが可能である。
【００２５】
このように、この実施の形態は、従来のダイヤフラムを用いたこの種の小型ポンプで用いられているカラー等の回転板を用いることなく低コストで、また図１に示す上下方向の長さＨを小にすることが可能である。
【００２６】
【発明の効果】
本発明はによれば一層小型で、低コストのポンプが可能になる。
【図面の簡単な説明】
【図１】    本発明の実施の形態の構成を示す図
【図２】    上記実施の形態のクランク軸の出力軸への固着手段を示す図
【図３】    クランク軸の出力軸への固着手段の他の例を示す図
【図４】    クランク軸の出力軸への固着手段の更に他の例を示す図
【図５】    従来の小型ポンプの構成を示す図
【符号の説明】
２０  駆動機構
２１  クランク軸
２２  駆動体
【図１】
0003817683.tif 000002
【図２】
0003817683.tif 000003
【図３】
0003817683.tif 000004
【図４】
0003817683.tif 000005
【図５】
0003817683.tif 000006